(57)【特許請求の範囲】
【請求項１】
情報が記録される記録層と、記録層の情報が転写され且つ転写された情報が波長λ１の第１レーザー光により光磁気信号として検出される再生層と、波長λ２の第２レーザー光により光磁気信号が検出されるモニタ層とを備える光磁気記録媒体の再生方法であって、
第１レーザー光及び外部磁界を、それらの強度を変化させつつ光磁気記録媒体に適用して、再生層から所定の光磁気信号強度が得られるレーザー光強度及び外部磁界強度の許容範囲を予め求めておく第１工程と、
第２レーザー光を一定の強度で光磁気記録媒体に照射しながら、前記許容範囲に含まれる強度の第１レーザー光及び外部磁界を光磁気記録媒体に適用して、許容範囲内の第１レーザー光及び外部磁界の強度条件下で第２レーザー光によりモニタ層から得られる光磁気信号強度の範囲を求める第２工程と、
情報再生時に、第１レーザー光及び前記外部磁界並びに前記一定強度の第２レーザー光を光磁気記録媒体に適用するとともに、モニタ層から検出される光磁気信号強度が第２工程で求めた範囲内に維持されるように第１レーザー光及び外部磁界の少なくとも一方の強度を制御しながら、再生層から光磁気信号を検出する第３工程とを含むことを特徴とする再生方法。
【請求項２】
第１工程において、一定強度の第２レーザー光を光磁気記録媒体に照射することを特徴とする請求項１に記載の再生方法。
【請求項３】
上記再生層は、上記記録層から転写された磁区を上記適用された外部磁界によって拡大して再生することができる磁区拡大再生層であることを特徴とする請求項１または２に記載の再生方法。
【請求項４】
情報が記録される記録層と、記録層の情報が転写され且つ転写された情報が波長λ１のレーザー光により光磁気信号として検出される再生層と、波長λ２のレーザー光により光磁気信号が検出されるモニタ層とを備える光磁気記録媒体の再生装置であって、
光磁気記録媒体に波長λ１のレーザー光を照射するための第１光源と、
波長λ２のレーザー光を照射するための第２光源と、
外部磁界を印加するための磁界印加装置と、
波長λ１のレーザー光による光磁気信号を検出するための第１検出器と、
波長λ２のレーザー光による光磁気信号を検出するための第２検出器と、
第１検出器で検出される光磁気信号強度が所定の強度になるときの波長λ１のレーザー光の強度及び外部磁界強度の許容範囲、並びに、当該許容範囲内の波長λ１のレーザー光及び外部磁界強度条件において第２検出器から検出される波長λ２のレーザー光による光磁気信号の強度範囲を記憶するための記憶装置と、
情報再生時に、第２検出器で検出される光磁気信号の強度が記憶装置に記憶された範囲内になるように、第１光源及び磁界印加装置の少なくとも一方を制御する制御装置とを備えることを特徴とする再生装置。
【発明の詳細な説明】
【０００１】
【発明の属する技術分野】
本発明は、記録層の情報を再生層に転写させて情報を再生する光磁気記録媒体及びその再生方法並びに再生装置に関し、更に詳細には、常に最適な再生信号強度が得られる光磁気記録媒体及びその再生方法並びに再生装置に関する。
【０００２】
【従来の技術】
コンピュータなどの外部メモリとして光磁気ディスクなどの光磁気記録媒体が知られている。光磁気記録媒体は情報の書換えが可能であり、動画像や音声などの大容量データを取り扱うことができることからマルチメディア時代の記録媒体として頻繁に使用されている。近年、かかる光磁気記録媒体の記憶容量をより一層増やすことが望まれており、これを実現するための方法として、記録磁区を微小化して高密度に情報を記録することが考えられる。記録磁区を微小化して記録することは、記録クロックと同期してパルス化された光を照射しながら記録信号に応じた極性の磁界を印加する光パルス磁界変調方式を用いることにより達成される。
【０００３】
しかし、微小な記録磁区を再生しようとした場合、再生光のスポット径は光ヘッドのＮＡの限界によりそれ以上小さくすることができず、再生光スポット内に存在する複数の微小な記録磁区を個別に再生することはできない。この問題を解決するための一つの方法として、例えば、Journal of Magnetic Society of Japan, Vol.17 Supplement No.S1, pp.201 (1993)において、磁気超解像技術（ＭＳＲ）が提案されている。この磁気超解像技術では、再生光スポット内に２個の記録磁区が存在していても、一方の磁区を見えないようにマスクして実効的視野を狭めることで、他方の記録磁区を再生することを可能にしている。しかしながら、磁気超解像技術では、各磁区からの再生信号強度は変わらないため、再生信号のＣ／Ｎは低いままであった。
【０００４】
本出願人は、国際公開番号ＷＯ９８／０２８７８号において、基板上に磁区拡大再生層と記録層とを有し、再生時に記録層の微小磁区を個別に磁区拡大再生層に転写させるとともに、再生磁界を印加することによって磁区拡大再生層に転写された磁区を拡大させて再生することができる光磁気記録媒体を開示した。この光磁気記録媒体によると、磁区拡大再生層に転写された磁区は光のスポットサイズ程度にまで拡大されているので、再生信号強度を著しく増大させることができる。この技術はＭＡＭＭＯＳ（Magnetic Amplifying Magneto-Optical System）と呼ばれ、微小磁区の再生Ｓ／Ｎに関する上記磁気超解像技術の問題を解決している。
【０００５】
【発明が解決しようとする課題】
これらのＭＳＲやＭＡＭＭＯＳのように、記録層の情報を再生層に転写して再生層から情報を再生する再生方法では、所定の強度の単一波長のレーザー光を光磁気記録媒体に照射するとともに、所定の磁界強度の外部磁界を印加することによって、記録層の情報を再生層（または磁区拡大再生層）に転写させて再生層から光磁気信号を検出する。このとき、再生層から検出される光磁気信号は、光磁気記録媒体に適用されるレーザー光の強度と外部磁界の強度とに大きく依存する。したがって、通常は、適用されるレーザー光強度及び外部磁界強度において最適な再生信号が得られるように再生層の組成が調整されている。ところが、実際に光磁気記録媒体を再生するための再生装置を用いて再生する場合、光磁気記録媒体に適用されるレーザー光の強度や外部磁界の強度は常に一定ではなく、光磁気記録媒体にレーザー光を集光させて照射するためのレンズにごみが付着することによってレーザー光強度が変動したり、磁気ヘッドと光磁気記録媒体との距離が変動することによって光磁気記録媒体に到達する外部磁界強度が変動するという問題があった。例えば、レーザー光の強度が変動すると、再生層から検出される光磁気信号にひずみが生じたり、ノイズが増大するという問題が生じる。
【０００６】
本発明は、上記問題を解決するためになされたものであり、その目的は、再生層から情報を読み出す際に、常に最適な強度の再生信号を得ることができる光磁気記録媒体及びその再生方法並びに再生装置を提供することにある。
【０００７】
【課題を解決するための手段】
本発明の第１の態様に従えば、情報が記録される記録層と、記録層の情報が転写され且つ転写された情報が波長λ１の第１レーザー光により光磁気信号として検出される再生層と、波長λ２の第２レーザー光により光磁気信号が検出されるモニタ層とを備える光磁気記録媒体の再生方法であって、
第１レーザー光及び外部磁界を、それらの強度を変化させつつ光磁気記録媒体に適用して、再生層から所定の光磁気信号強度が得られるレーザー光強度及び外部磁界強度の許容範囲を予め求めておく第１工程と、
第２レーザー光を一定の強度で光磁気記録媒体に照射しながら、前記許容範囲に含まれる強度の第１レーザー光及び外部磁界を光磁気記録媒体に適用して、許容範囲内の第１レーザー光及び外部磁界の強度条件下で第２レーザー光によりモニタ層から得られる光磁気信号強度の範囲を求める第２工程と、
情報再生時に、第１レーザー光及び前記外部磁界並びに前記一定強度の第２レーザー光を光磁気記録媒体に適用するとともに、モニタ層から検出される光磁気信号強度が第２工程で求めた範囲内に維持されるように第１レーザー光及び外部磁界の少なくとも一方の強度を制御しながら、再生層から光磁気信号を検出する第３工程とを含むことを特徴とする再生方法が提供される。
【０００８】
本発明の再生方法に用いられる光磁気記録媒体は、情報が記録される記録層と、記録層の情報が転写されて再生される再生層と、再生層に記録された情報を再生する際に光磁気信号がモニタされるモニタ層とを備える。再生層は、波長λ１の第１レーザー光を用いて光磁気信号が検出される磁性層である。モニタ層は、波長λ２の第２レーザー光を用いて光磁気信号が検出される磁性層であり、その光磁気信号強度（信号振幅）は、図３に示したように、レーザー光の強度と外部磁界の強度に依存して変化する。本発明では、かかる光磁気記録媒体に、再生層を再生するための波長λ１の第１レーザー光と、モニタ層をモニタするための波長λ２の第２レーザー光と、再生用の外部磁界とをそれぞれ適用して情報を再生する。
【０００９】
記録層に記録されている情報を再生する前に、一定の強度の第２レーザー光を照射すると共に、第１レーザー光と外部磁界とを、それらの強度を変化させつつ適用する。これにより、第１及び第２レーザー光が照射された再生層の所定の領域は加熱され、第１レーザー光の強度と再生用の外部磁界の強度がそれぞれ所定の強度になったときに記録層の磁区が再生層に転写され、再生層から第１レーザー光による光磁気信号が検出される。このときの第１レーザー光強度と外部磁界強度の範囲、すなわち記録層の情報が確実に再生層に転写されて再生層から光磁気信号を検出することができる許容範囲（再生マージン）は図３の斜線部分のように表される。この許容範囲内において、例えば、再生層から最大の再生信号強度が得られるような第１レーザー光強度（Ｐｍ）及び外部磁界強度（Ｈｍ）を求める。この強度条件（Ｐｍ、Ｈｍ）で第１レーザー光及び外部磁界を光磁気記録媒体に適用しつつ、第２レーザー光によるモニタ層からの光磁気信号を検出すると、図４のグラフから、検出される光磁気信号強度はＡ２となる。図４において、光磁気信号強度Ａ１〜Ａ３は、Ａ１、Ａ２、Ａ３の順で小さくなっており、信号強度Ａ２の直線の全部または一部は、図３の許容範囲内に含まれており、光磁気信号強度Ａ１及びＡ３は許容範囲外である。
【００１０】
情報を再生する際には、第１レーザー光及び外部磁界並びに強度一定の第２レーザー光を適用しつつ、第２レーザー光でモニタ層をモニタして光磁気信号強度を検出する。そして、検出した光磁気信号強度と情報を再生する前に予め求めておいた信号強度Ａ２とを比較して大小関係を求め、その大小関係に基づいてモニタ層からの光磁気信号強度がＡ２になるように第１レーザー光の強度及び外部磁界強度の少なくとも一方を制御する。すなわち、第２レーザー光で検出された光磁気信号の強度が、例えば、図４のグラフのＡ１であったとすると、信号強度Ａ１は、図３のグラフの許容範囲外になるので再生層から光磁気信号を検出することはできない。そこで、図４のグラフから信号強度Ａ１は、情報を再生する前に予め求めておいた信号強度Ａ２よりも大きいので、第１レーザー光の強度及び外部磁界強度の少なくとも一方を、モニタ層から信号強度Ａ２の光磁気信号が検出されるまで低下させればよい。信号強度Ａ２の光磁気信号が検出される第１レーザー光強度及び外部磁界強度は、情報を再生する前に予め求めておいた、再生層から光磁気信号を検出することが可能な許容範囲に含まれているので、再生層から確実に光磁気信号を検出することができる。一方、検出された光磁気信号の強度が、図４のグラフにおいてＡ３の場合も同様に、図３のグラフの許容範囲外であるため再生層からは光磁気信号が検出されない。図４のグラフから信号強度Ａ３は、情報を再生する前に予め求めておいた信号強度Ａ２よりも小さいので、第１レーザー光の強度及び外部磁界強度の少なくとも一方を、モニタ層から信号強度Ａ２の光磁気信号が検出されるまで強度を増大させればよい。これにより再生層からは最適化させた強度の光磁気信号が検出される。このように、本発明の再生方法では、情報を再生する際に、第２レーザー光を用いてモニタ層からの光磁気信号強度をモニタして、それに応じて第１レーザー光及び外部磁界の少なくとも一方の強度を制御しているので、再生層から常に最適化された一定強度の光磁気信号を得ることができる。
【００１１】
特に、高密度化のために記録磁区を微小化した光磁気記録媒体では、再生層から光磁気信号を検出することができる上記許容範囲は狭くなる。そのため、光磁気記録媒体に対してレーザー光及び外部磁界を最適な強度で適用することが極めて困難であったが、上述したように第２レーザー光を用いてモニタ層からの光磁気信号をモニタしながら第１レーザー光及び外部磁界の少なくとも一方を制御すれば、記録層の情報を再生層に確実に転写させて再生することができる。また、光磁気記録媒体の再生層を磁区拡大再生層として機能させれば、光磁気記録媒体から増幅された光磁気信号を得ることができる。
【００１２】
上記説明において、図４のグラフでは、信号強度Ａ２を直線として示したが、図３のグラフに示した許容範囲内に全部または一部が含まれていれば、任意の幅を有する領域であってもよい。
【００１３】
本発明の第２の態様に従えば、情報が記録される記録層と、記録層の情報が転写され且つ転写された情報が波長λ１のレーザー光により光磁気信号として検出される再生層と、波長λ２のレーザー光により光磁気信号が検出されるモニタ層とを備える光磁気記録媒体の再生装置であって、
光磁気記録媒体に波長λ１のレーザー光を照射するための第１光源と、
波長λ２のレーザー光を照射するための第２光源と、
外部磁界を印加するための磁界印加装置と、
波長λ１のレーザー光による光磁気信号を検出するための第１検出器と、
波長λ２のレーザー光による光磁気信号を検出するための第２検出器と、
第１検出器で検出される光磁気信号強度が所定の強度になるときの波長λ１のレーザー光の強度及び外部磁界強度の許容範囲、並びに、当該許容範囲内の波長λ１のレーザー光及び外部磁界強度条件において第２検出器から検出される波長λ２のレーザー光による光磁気信号の強度範囲を記憶するための記憶装置と、
情報再生時に、第２検出器で検出される光磁気信号の強度が記憶装置に記憶された範囲内になるように、第１光源及び磁界印加装置の少なくとも一方を制御する制御装置とを備えることを特徴とする再生装置が提供される。
【００１４】
本発明の再生装置は、第１及び第２光源により、波長λ１のレーザー光と波長λ２のレーザー光を光磁気記録媒体上に照射して、光磁気記録媒体を構成しているモニタ層と再生層とからの光磁気信号を第１検出器及び第２検出器を用いてそれぞれ独立に検出することができる。情報を再生する前には、第２光源から射出する波長λ２のレーザー光の強度を一定にするとともに、第１光源から射出する波長λ１のレーザー光及び外部磁界の強度を変化させて、第１検出器で検出される光磁気信号強度、すなわち再生層からの光磁気信号強度が所定の強度になったときの波長λ１のレーザー光の強度及び外部磁界の強度に基づく許容範囲を記憶する。同時に、この許容範囲内での波長λ１のレーザー光及び外部磁界の強度条件において第２検出器から検出される光磁気信号強度、すなわち波長λ２のレーザー光によるモニタ層からの光磁気信号強度も記憶する。情報を再生する際には、第２検出器で検出されるモニタ層からの光磁気信号強度が、情報再生前に予め記憶装置に記憶しておいたモニタ層からの光磁気信号の強度範囲内になるように、制御装置を用いて波長λ１のレーザー光及び外部磁界の少なくとも一方の強度を制御する。これにより、常に最適なレーザー光強度と外部磁界強度を光磁気記録媒体に適用することができるので、記録層に記録されている情報を確実に再生層に転写させて情報を再生することができる。
【００１５】
本発明の第３の態様に従えば、情報が記録される記録層と、記録層の情報が転写され且つ転写された情報が波長λ１のレーザー光により光磁気信号として検出される再生層と、波長λ２のレーザー光により光磁気信号が検出されるモニタ層とを備える光磁気記録媒体であって、
情報再生時に、該モニタ層に波長λ２のレーザー光が照射されてモニタ層から光磁気信号が検出され、該光磁気信号に基づいて波長λ１のレーザー光及び外部磁界の少なくとも一方の強度が制御されつつ波長λ１のレーザー光及び外部磁界が適用されることを特徴とする光磁気記録媒体が提供される。
【００１６】
本発明の光磁気記録媒体は、情報が記録される記録層、２種類の異なる波長でそれぞれ独立に再生することが可能な再生層及びモニタ層を備える。再生層は、波長λ１のレーザー光により光磁気信号を検出することができる磁性層であり、この再生層に波長λ１のレーザー光を照射しつつ、再生用の外部磁界を印加することによって、記録層の磁化情報が再生層に転写される。波長λ１のレーザー光による再生層からの光磁気信号を検出することによって情報が再生される。
【００１７】
一方、モニタ層は、波長λ２（λ２≠λ１）のレーザー光により光磁気信号を検出することができる磁性層であり、このモニタ層に波長λ２のレーザー光を照射しつつ外部磁界を印加することによって検出される光磁気信号強度は、外部磁界強度とモニタ層の温度（波長λ２の光が照射されているモニタ層の領域の温度）とに大きく依存する特性を有する。本発明の光磁気記録媒体は、波長λ２のレーザー光により検出されるモニタ層からの光磁気信号に基づいて、適用される外部磁界の強度及びレーザー光の強度の少なくとも一方が制御され、それにより、波長λ１のレーザー光により再生層から最適な強度の再生信号が常に得られることになる。なお、モニタ層は、波長λ１のレーザー光により光磁気信号が検出されず、再生層は、波長λ２のレーザー光により光磁気信号が検出されない特性を備えている。また、モニタ層は、再生層から最適化された再生信号が得られる波長λ１のレーザー光強度及び外部磁界強度の下で、波長λ２のレーザー光を用いて再生信号を検出することができるように、その成分及び組成が予め調整されている。
【００１８】
【発明の実施の形態】
以下、本発明に従う光磁気記録媒体及びその再生に好適な再生装置の実施例について図面を参照しながら具体的に説明するが、本発明はそれらに限定されるものではない。
【００１９】
【実施例】
図１に本発明に従う光磁気記録媒体１００の断面構造の一例を示す。光磁気記録媒体１００は、透明基板１上に、第１保護層２、モニタ層３、非磁性層４、磁区拡大再生層５、中間層６、記録層７及び第２保護層８を順次積層した構造を有する。透明基板１には、厚さが１．２ｍｍのポリカーボネート基板を用いた。第１保護層２にはＳｉＮを用い、膜厚を１５０ｎｍとした。モニタ層３は、ＴｂＦｅＣｏを用いて構成され、その膜厚を８ｎｍとした。非磁性層４にはＳｉＮを用い、膜厚を１８０ｎｍとした。磁区拡大再生層５は、記録層から転写される磁区を拡大して再生するための層であり、ＧｄＦｅＣｏを用いて構成され、膜厚を４５ｎｍとした。中間層６は、記録層と再生層と磁気的な結合を分断するための層であり、ＡｌＴｉを用いて構成され、膜厚を５ｎｍとした。記録層７は、情報を磁化状態として記録するための層であり、ＴｂＦｅＣｏ合金を用いて構成され、膜厚を１００ｎｍとした。第２保護層２にはＳｉＮを用い、膜厚を６０ｎｍとした。これらの層２〜８は、それぞれ、マグネトロンスパッタ装置を用いたスパッタリングによって順次成膜した。こうして図１に示す積層構造を有する光磁気記録媒体１００を得た。なお、磁区拡大再生層を用いた再生原理については、前述のＷＯ９８／０２８７８号に詳細に記載されており、これを参照されたい。
【００２０】
かかる構成の光磁気記録媒体１００について、モニタ層３及び磁区拡大再生層５の性能指数（カー回転角（磁気光学効果）θｋ×反射率Ｒ）の波長依存性をそれぞれ調べたところ、図２に示したように、モニタ層３及び磁区拡大再生層５の見かけ上の性能指数はそれぞれ波長６４０ｎｍ及び波長８００ｎｍにおいて０であった。すなわち、光磁気記録媒体１００は、波長６４０ｎｍ及び８００ｎｍの２種類のレーザー光を用いることにより、モニタ層３と磁区拡大再生層５とからそれぞれ独立に光磁気信号を検出することができる。
【００２１】
つぎに、本発明に従う再生装置の概略構成図を図５に示す。再生装置２００は、主に、発振波長８００ｎｍの第１レーザー光源１３及び発振波長６４０ｎｍの第２レーザー光源２０からそれぞれ射出したレーザー光を光磁気記録媒体１００にピックアップするための光学装置Ｐ１と、光磁気記録媒体１０からの２種類の波長の反射光をそれぞれ独立に検出可能な光再生系Ｐ２と、光磁気記録媒体１００に外部磁界を印加するための磁界印加部Ｍとを備える。
【００２２】
光学装置Ｐ１において、第１レーザー光源１３から射出されたレーザー光は、コリメートレンズ１２、プリズム１１を透過し、ビームスプリッタ２３で反射された後、フォーカシングレンズ２６に入射し、このフォーカシングレンズ２６にて集光されて光磁気記録媒体１００上に照射される。一方、第２レーザー光源２０から射出したレーザー光は、コリメートレンズ２１、プリズム２２、ビームスプリッタ２３、２４及び２５を透過した後、フォーカシングレンズ２６に入射し、このフォーカシングレンズ２６において集光されて光磁気記録媒体１００上に照射される。
【００２３】
光磁気記録媒体１００の再生層で反射した波長６４０ｎｍの反射光は、ビームスプリッタ２５にて分割されて光磁気信号受光器１８に入射し、光磁気信号受光器１８でその信号強度が検出される。一方、モニタ層から反射された波長８００ｎｍの反射光はビームスプリッタ２５を透過してビームスプリッタ２４に入射した後、ビームスプリッタ２４で分割されて光磁気信号受光器１６に入射し、光磁気信号受光器１６でその信号強度が検出される。光磁気信号受光器１８からの出力信号の一部は、光磁気信号受光器１６からの出力信号と共に記憶装置２８に接続されている。光磁気信号受光器１８からの出力信号の他方は、二値化回路１７を介してデコーダ３０に接続され、出力信号に基づく記録層のユーザー情報が復号化される。
【００２４】
記憶装置２８は、情報を再生する前に光磁気信号受光器１６及び１８で検出されたモニタ層及び再生層からの光磁気信号強度をそれぞれ記憶することができる。また、情報を再生する前に光磁気信号受光器１８で検出した再生層からの光磁気信号強度が所定の強度になったときの第１レーザー光源１３の出力と磁気ヘッド１９の出力とを求めて記憶することができる。記憶装置２８は、コンパレータ１５に接続されており、コンパレータ１５は、情報再生時に光磁気信号受光器１６で検出されるモニタ層からの光磁気信号強度Ａと、情報再生前に記憶装置２８に記憶されているモニタ層からの光磁気信号強度Ａmemとを比較してその大小関係を制御装置２９に出力することができる。制御装置２９は、レーザードライバ１４と後述する磁気ヘッドドライバ９に接続されており、コンパレータ１５から出力された値に基づいて、レーザードライバ１４と磁気ヘッドドライバ９の少なくとも一方を制御してそれらの出力を調整することができる。
【００２５】
磁界印加部Ｍにおいて、磁気ヘッド１９は、フォーカシングレンズ２６と光磁気記録媒体１００を介して対向して設けられており、磁気ヘッドドライバ９に接続されて磁気ヘッドドライバ９によりが駆動される。磁気ヘッドドライバ９は、制御装置２９に接続されており、制御装置２９により磁気ヘッド１９への出力が制御される。
【００２６】
かかる構成の再生装置２００を用いて光磁気記録媒体１００の再生を行なう。情報再生時には、モニタ層から検出される光磁気信号強度Ａと、情報再生前に予め記憶装置に記憶しておいた光磁気信号強度Ａmemとを比較し、モニタ層から検出される光磁気信号強度Ａが光磁気信号強度Ａmemになるように制御装置を用いて第１レーザードライバ１４を制御してレーザー光強度を調整する。これにより、記録層の磁化情報は確実に磁区拡大再生層に転写されて拡大され、常に十分な信号強度で記録されている記録情報を再生することができる。また、光磁気信号強度Ａが光磁気信号強度Ａmemになるように、第１レーザードライバ１４の代わりに磁気ヘッドドライバ９を制御してもよく、第１レーザドライバ１４及び磁気ヘッドドライバ９の両方を制御してもよい。
【００２７】
以上、本発明の光磁気記録媒体及びその再生に好適な再生装置について実施例により説明したが、本発明は上記実施例に限定されるものではない。例えば、上記実施例では、再生層として磁区拡大再生層を用いることによってＭＡＭＭＯＳ用の光磁気記録媒体を製造したが、これに限らず、ＭＳＲ用の光磁気記録媒体を製造することもできる。
【００２８】
【発明の効果】
本発明の光磁気記録媒体の再生方法では、情報を再生する前に、再生層から光磁気信号を検出することが可能な、第１レーザー光強度と外部磁界強度とに基づく許容範囲を求めた後、この許容範囲内の第１レーザー光強度及び外部磁界強度の下で、モニタ層からの第２レーザー光による光磁気信号強度を求める。そして、情報を再生する際には、モニタ層から検出される第２レーザー光による光磁気信号強度と、情報を再生する前に予め求めておいた光磁気信号強度とを比較して、両者に強度差が生じている場合には、予め求めておいた光磁気信号強度になるように、第１レーザー光及び外部磁界の少なくとも一方の強度を制御してそれらを適用する。これにより、光磁気記録媒体に、常に最適な強度でレーザー光及び外部磁界を適用させて情報を再生することができる。
【００２９】
本発明の光磁気記録媒体は、情報が記録される記録層と、記録層の情報が転写され、波長λ１のレーザー光により光磁気信号が検出される再生層と、再生層を再生するためのレーザー光とは異なる波長λ２を有するレーザー光により光磁気信号がモニタされるモニタ層を備え、波長λ２によるモニタ層からの光磁気信号に基づいて、波長λ１のレーザー光及び外部磁界が、それらの少なくとも一方の強度が制御されつつ適用される。これにより、記録層の情報が再生層に確実に転写されて再生される。また、光磁気記録媒体の再生層を磁区拡大再生層として機能させれば、光磁気記録媒体から増幅された光磁気信号を得ることができ、十分な信号強度で情報を再生することができる。本発明の光磁気記録媒体は、超高密度記録される光磁気記録媒体に極めて好適である。
【００３０】
また、本発明の再生装置は、情報再生時に第２検出器で検出されるモニタ層からの光磁気信号強度が、情報再生前に予め記憶装置に記憶しておいたモニタ層からの光磁気信号の強度範囲内になるように、制御装置を用いて、第１光源から射出する波長λ１のレーザー光及び磁界印加装置から発生する外部磁界の少なくとも一方の強度を制御することができる。これにより、常に最適なレーザー光強度と外部磁界強度を光磁気記録媒体に適用させることができるので、上記本発明の光磁気記録媒体を再生するための再生装置として極めて好適である。
【図面の簡単な説明】
【図１】本発明に従う光磁気記録媒体の断面構造を概略的に示した図である。
【図２】本発明に従う光磁気記録媒体の再生層及びモニタ層のそれぞれの性能指数の波長依存性を示すグラフである。
【図３】再生層から光磁気信号を検出することが可能な第１レーザー光強度と外部磁界強度の許容範囲を概略的に示す図である。
【図４】モニタ層から検出される光磁気信号強度の外部磁界強度及びレーザー光強度の依存性を示す図である。
【図５】本発明に従う光磁気記録媒体の再生装置の概略構成図である。
【符号の説明】
１  基板
３  モニタ層
５  再生層
７  記録層
９  磁気ヘッドドライバー
１５  コンパレータ
１３  第１レーザー光源
２０  第２レーザー光源
１６、１８  光磁気信号受光器
１９  磁気ヘッド
２６  フォーカシングレンズ
２８  記憶装置
２９  制御装置
１００  光磁気記録媒体
２００  再生装置
【図１】
0003792430.tif 000002
【図２】
0003792430.tif 000003
【図３】
0003792430.tif 000004
【図４】
0003792430.tif 000005
【図５】
0003792430.tif 000006